(57)【特許請求の範囲】
【請求項１】
基材シートの表面に、内容物が収納された収納ドームが複数設けられてなるＰＴＰ包装体から前記内容物を取り出す取出し具において、
前記基材シートの裏面側を支持するとともに、前記収納ドームからの前記内容物が通過可能な通過孔を有する支持部と、
該支持部に前記通過孔の開口面に沿って延びるヒンジ軸回りに回動可能に連結されるとともに、前記支持部が前記基材シートの裏面側を支持した状態で、前記基材シートの表面側から裏面側に向けて前記収納ドームを押圧可能なレバー部材と、を備え、
前記支持部には、前記通過孔を通過した前記収納ドームからの前記内容物が収容される収容部が配設されるとともに、前記レバー部材をヒンジ軸方向の両側から支持するガイド壁が一対立設され、
前記ガイド壁には、
前記レバー部材に対して前記通過孔側に位置して前記レバー部材の押し下げ操作を制限する係合突起と、
前記レバー部材に対して前記通過孔側とは反対側に位置して、前記レバー部材の前記ヒンジ軸回りの復元変形時に、前記レバー部材に対して前記通過孔側とは反対側から前記レバー部材に係合する係合凸部と、が形成されていることを特徴とする取出し具。
【請求項２】
前記収容部は、前記支持部に前記通過孔の開口面に沿ってスライド可能に設けられていることを特徴とする請求項１記載の取出し具。
【発明の詳細な説明】
【技術分野】
【０００１】
本発明は、取出し具に関する。
【背景技術】
【０００２】
錠剤やカプセル剤等の内容物の包装形態として、内容物を収納する多数の収納ドームを表面側に設けた基材シートの裏面にアルミ箔を貼着してなり、収納ドームを裏面側に向けて押圧することにより、収納ドーム内の内容物がアルミ箔を破って内容物が押し出されるようにした、いわゆるＰＴＰ（ｐｒｅｓｓ  ｔｈｒｏｕｇｈ  ｐａｃｋ）包装体が広く用いられている。
例えば、下記特許文献１には、ＰＴＰ包装体の管理を容易にするケースとして、基材シートの表面側に配置され、収納ドームを基材シートの表面側から押圧したとき、指先が進入可能な大きさの収納孔を整列開設したプレート本体と、収納孔に対応する位置に、内容物を取り出し可能な大きさの取出孔を整列開設するとともに、プレート本体との間で基材シートを挟持する挟持プレートと、を有する構成が知られている。
【先行技術文献】
【特許文献】
【０００３】
【特許文献１】特開２００２−２５５２５６号公報
【発明の概要】
【発明が解決しようとする課題】
【０００４】
しかしながら、上述した従来の技術では、収納ドーム内に収納された内容物を直接触れずに取り出して、所望の所に供給することに対しては改善の余地があった。
【０００５】
そこで、本発明は、前述した事情に鑑みてなされたものであって、その目的は、収納ドーム内に収納された内容物を直接触れずに取り出して、所望の所に供給できる取出し具を提供することである。
【課題を解決するための手段】
【０００６】
上記課題を解決するために、本発明は以下の手段を提案している。
本発明に係る取出し具は、基材シートの表面に、内容物が収納された収納ドームが複数設けられてなるＰＴＰ包装体から前記内容物を取り出す取出し具において、前記基材シートの裏面側を支持するとともに、前記収納ドームからの前記内容物が通過可能な通過孔を有する支持部と、該支持部に前記通過孔の開口面に沿って延びるヒンジ軸回りに回動可能に連結されるとともに、前記支持部が前記基材シートの裏面側を支持した状態で、前記基材シートの表面側から裏面側に向けて前記収納ドームを押圧可能なレバー部材と、を備え、前記支持部には、前記通過孔を通過した前記収納ドームからの前記内容物が収容される収容部が配設されるとともに、前記レバー部材をヒンジ軸方向の両側から支持するガイド壁が一対立設され、前記ガイド壁には、前記レバー部材に対して前記通過孔側に位置して前記レバー部材の押し下げ操作を制限する係合突起と、前記レバー部材に対して前記通過孔側とは反対側に位置して、前記レバー部材の前記ヒンジ軸回りの復元変形時に、前記レバー部材に対して前記通過孔側とは反対側から前記レバー部材に係合する係合凸部と、が形成されていることを特徴としている。
【０００７】
このような特徴により、基材シートの裏面側を支持した状態で、支持部に対してヒンジ軸回りにレバー部材を回動させ、レバー部材により収納ドームを押圧して収納ドーム内の内容物を押し出すことで、内容物が通過孔を通過して収容部内に収容される。その後、取出し具からＰＴＰ包装体を取り外し、収容部内に収容されている内容物ごと取出し具を移動させ、所望の所で収容部から内容物を落下させて供給する。以上より、収納ドーム内の内容物を直接触れることなく取り出して、所望の所に供給することができる。
また、レバー部材を間に挟んでヒンジ軸方向の両側にガイド壁を立設することで、レバー部材の操作時にレバー部材がヒンジ軸方向にずれるのを抑制して、レバー部材により収納ドームを介して内容物を確実に押し込むことができる。これにより、収納ドーム内の内容物を確実に収容部に供給することができる。
【０００８】
また、本発明の取出し具において、前記収容部は、前記支持部に前記通過孔の開口面に沿ってスライド可能に設けられていてもよい。
【０００９】
この場合には、収容部を、通過孔と連通する連通位置と、収容部内の内容物が取り出せる取出し位置と、の間でスライド移動させることができる。そして、連通位置では通過孔を介して収容部内に内容物を収容できる。一方で、取出し位置では収容部を開放できるため、例えば、取出し具からＰＴＰ包装体を引き抜いたり、レバー部材を支持部から引き上げて離したりする等の動作を行わずに、収容部内の内容物を所望の所に供給できる。
【発明の効果】
【００１２】
本発明に係る取出し具によれば、収納ドーム内に収納された内容物を直接触れずに取り出して、所望の所に供給できる。
【図面の簡単な説明】
【００１３】
【図１】本発明の実施形態における取出し具の側面図である。
【図２】図１に示す取出し具の断面図である。
【図３】図２に相当する断面図であって、取出し具の動作説明図である。
【図４】他の構成の取出し具を示す側面図である。
【図５】図４のＡ矢視図である。
【図６】図４，５に示す取出し具の動作説明図である。
【発明を実施するための形態】
【００１４】
以下、図面を参照し、本発明の実施形態に係る取出し具を説明する。
本実施形態に係る取出し具１は、図１，２に示されるように、基材シート１１の表面１１ａに、錠剤やカプセル剤等の内容物Ｃを収納した収納ドーム１２が複数設けられてなるＰＴＰ包装体１３から内容物Ｃを取り出すためのものであって、基材シート１１の裏面１１ｂ側を支持する支持部２１と、支持部２１にヒンジ部２２を介して回動可能に連結されたレバー部材２３と、ＰＴＰ包装体１３から取り出される内容物Ｃを収容する収容部２４と、を備えている。
【００１５】
なお、ＰＴＰ包装体１３は、収納ドーム１２を表面１１ａ側に設けた基材シート１１の裏面１１ｂに例えばアルミ箔１４のようなシール材（シートやフィルム）を貼着してなり、収納ドーム１２を裏面１１ｂ側（アルミ箔１４側）に向けて押圧することにより、収納ドーム１２内の内容物Ｃによりアルミ箔１４が破られて内容物Ｃが押し出されるようにしたものである。以下、ＰＴＰ包装体１３の厚さ方向に沿う基材シート１１側を上側、アルミ箔１４側を下側という。
【００１６】
支持部２１は、平面視の外形が収納ドーム１２よりも大きい長方形状の板材であり、ＰＴＰ包装体１３を支持したときに、収納ドーム１２に対応する位置に内容物Ｃが通過可能な通過孔２５（図２参照）を有している。支持部２１における長手方向の一端側の周縁部には、上方に向けて立設された側壁部２６が形成されている。この側壁部２６は、支持部２１における短手方向の全域に亘って形成されるとともに、高さがＰＴＰ包装体１３の基材シート１１とアルミ箔１４との合計厚さよりも高くなるように形成されている。なお、以下の説明では、平面視において、支持部２１の長手方向を単に長手方向（図１中左右方向）、長手方向に直交する短手方向を単に短手方向（図１中奥行き方向）という。
【００１７】
レバー部材２３は、ヒンジ部２２を介して側壁部２６の上端に一体的に連結された側面視で階段状の板材であり、通過孔２５の開口面に沿う方向のうち、短手方向に沿って延びるヒンジ部２２のヒンジ軸回りに支持部２１に対して回動可能に構成されている。レバー部材２３は、支持部２１の上方で支持部２１に対向して配置されており、ＰＴＰ包装体１３を支持部２１で支持したときに、収納ドーム１２を上方から覆うように配置される。具体的に、レバー部材２３は、ヒンジ部２２から長手方向の他端側に向けて延在し、収納ドーム１２の表面形状に倣って形成された押圧部３１（図２参照）と、押圧部３１から長手方向の他端側に向かうに従い上方に向けて延びる傾斜部３２と、傾斜部３２から長手方向に沿って延びる操作部３３と、を備えている。
【００１８】
押圧部３１における長手方向の他端側には、下方に向けて突出する突起部３４（図２参照）が形成されている。突起部３４の下端は、ＰＴＰ包装体１３を支持部２１で支持したときに、収納ドーム１２における長手方向の他端側寄りで収納ドーム１２に対向配置される。
操作部３３は、操作者の指等で押し下げ操作するためのものであって、傾斜部３２を介して押圧部３１に連結されることで、押圧部３１よりも上方に位置している。
【００１９】
また、レバー部材２３を間に挟んで短手方向（ヒンジ軸方向）の両側には、一対のガイド壁３５が配置されている。これらガイド壁３５は、側面視で矩形状の板材であり、長手方向の一端側で上述した支持部２１における長手方向の一端側、及び側壁部２６に連結部３６を介して連設されている。したがって、長手方向において、ガイド壁３５の連結部３６以外の部分には、ガイド壁３５と支持部２１との間に上下方向で隙間を有しており、この隙間がＰＴＰ包装体１３の差込口３７として機能している。また、ガイド壁３５の上端部には、対向するガイド壁３５に向かってそれぞれ突出する係合凸部４１（図２参照）が形成され、上述したレバー部材２３（押圧部３１）がアンダーカット嵌合されている。これにより、レバー部材２３が支持部２１と上下方向で対向する位置に支持されている。
また、ガイド壁３５の内面には、レバー部材２３に係合して押し下げ操作を規制する係合突起４４が形成されており、押し下げ終了状態においてレバー部材２３のそれ以上の押し下げを防止することで、目的とする収納ドーム１２のみを押圧するようにしている。
【００２０】
ここで、収容部２４は、上述した支持部２１の通過孔２５を下方から覆うように支持部２１に一体的に形成されたカップ状の部材であり、通過孔２５の開口縁から下方に向けて延在する筒部４２と、筒部４２の下端開口部を閉塞する底部４３と、を備えている。収容部２４は、内容物Ｃの取出し時に通過孔２５を介して収納ドーム１２内に連通可能に構成されるとともに、内容物Ｃを収容可能な大きさに形成されている。
【００２１】
次に、上述した取出し具の使用方法について説明する。
まず、図１，２に示すように、ＰＴＰ包装体１３に取出し具１をセットする。具体的には、短手方向において、収納ドーム１２と、取出し具１のレバー部材２３とが同位置に配置されるように取出し具１を位置合わせした状態で、ガイド壁３５と支持部２１との間に形成された差込口３７に長手方向の他端側からＰＴＰ包装体１３を差し込む。これにより、ＰＴＰ包装体１３が差込口３７内を長手方向の一端側に向けて進入するとともに、対向するガイド壁３５間に収納ドーム１２が進入する。この際、ＰＴＰ包装体１３における長手方向の一端側の端縁が連結部３６に当接する位置まで差し込まれることで、レバー部材２３における押圧部３１の下方に収納ドーム１２が配置される。
【００２２】
次に、図３に示すように、ＰＴＰ包装体１３に取出し具１をセットした状態で、レバー部材２３を押し下げ操作する（図３中矢印Ｌ１参照）。具体的には、レバー部材２３の操作部３３を押し下げることで、レバー部材２３がヒンジ部２２回りに下方に向けて回動する。これにより、押圧部３１の突起部３４が収納ドーム１２の上面に突き当たり、突起部３４を介して収納ドーム１２が下方に向けて押圧される。すると、収納ドーム１２が下方に向けて凹むように変形することで、収納ドーム１２を介して内容物Ｃが下方に向けて押し出され、ＰＴＰ包装体１３のアルミ箔１４のうち、収納ドーム１２に対向する部分（収納ドーム１２を下方から閉塞している部分）が破断される。これにより、収納ドーム１２内が通過孔２５を介して収容部２４内に連通し、内容物Ｃが下方に落下することで、通過孔２５を通過して収容部２４内に収容される。
【００２３】
その後、操作部３３の押圧を解除すると、レバー部材２３がガイド壁３５の係合凸部４１にアンダーカット嵌合する位置まで復元する。そして、ＰＴＰ包装体１３を長手方向の他端側に向けて引き抜く。これにより、内容物Ｃが収容部２４内に収容された状態で、取出し具１からＰＴＰ包装体１３が取り外される。その後、収容部２４内に収容されている内容物Ｃごと取出し具１を移動させ、所望の所で収容部２４から内容物Ｃを落下させて供給する。
【００２４】
したがって、本実施形態では、ＰＴＰ包装体１３の裏面１１ｂ側を支持した状態で、支持部２１に対してレバー部材２３を回動させ、このレバー部材２３により収納ドーム１２を押圧して収納ドーム１２内の内容物Ｃを押し出すことで、内容物Ｃが通過孔２５を通過して収容部２４内に収容される。その後、取出し具１からＰＴＰ包装体１３を取り外し、収容部２４内に収容されている内容物Ｃごと取出し具１を移動させ、所望の所で収容部２４から内容物Ｃを落下させて供給する。以上より、収納ドーム１２内の内容物Ｃを直接触れることなく取り出して、所望の所に供給することができる。
【００２５】
また、レバー部材２３を間に挟んで短手方向の両側にガイド壁３５を配置することで、レバー部材２３の押し下げ操作時にレバー部材２３が短手方向にずれるのを抑制して、レバー部材２３により収納ドーム１２を介して内容物Ｃを下方に向けて確実に押し込むことができる。これにより、収納ドーム１２内の内容物Ｃを確実に収容部２４に供給することができる。
また、レバー部材２３の操作部３３を押圧部３１に比べて上方に配置することで、レバー部材２３の回動時において、レバー部材２３（操作部３３）が隣接する収納ドーム１２等と干渉するのを抑制できる。
【００２６】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、支持部２１と収容部２４を一体的に形成する場合について説明したが、これに限らず、支持部２１と収容部２４とを別体で形成し、収容部２４を支持部２１に対して長手方向にスライド移動可能に構成しても構わない。
具体的には、図４，５に示すように、短手方向において、支持部２１における通過孔２５を間に挟んだ両側には、長手方向に沿って延在する一対のレール部５１が形成されている。レール部５１は、通過孔２５の開口縁から下方に向けて立設された側壁部５２と、側壁部５２の下端部から互いに対向する側壁部５２に向けてそれぞれ延びる保持部５３と、を備えている。
【００２７】
一方、収容部２４の開口縁には、外側に向けて張り出すフランジ部５４が形成され、このフランジ部５４がレール部５１における保持部５３上に保持されている。これにより、収容部２４は、通過孔２５と連通する連通位置（図４，５参照）と、収容部２４内の内容物Ｃが取り出せる取出し位置（図６参照）と、の間でレール部５１上を長手方向に沿ってスライド移動可能とされている。この場合、上下方向において、取出し位置まで収容部２４をスライド移動させることで（図６中矢印Ｌ２参照）、支持部２１やレバー部材２３と重ならない位置で収容部２４を上方に向けて開放できるため、例えば、取出し具１からＰＴＰ包装体１３を引き抜いたり、レバー部材２３を支持部２１から引き上げて離したりする等の動作を行わずに、収容部２４内の内容物Ｃを所望の所に供給できる。
【００２８】
また、図４，６に示すように、フランジ部５４における長手方向の他端側に、収容部２４のスライド移動時に通過孔２５の開口縁に係止可能な係止突起６１を設けるような構成にしても構わない。
具体的に、係止突起６１は、フランジ部５４における長手方向の他端側に形成され、長手方向の一端側に向かうに従い上方に向けて傾斜する舌片状の板材であり、その周囲が平面視コ字状のスリット６２に囲まれている。係止突起６１は、上下方向に弾性変形可能に構成されている。この場合、係止突起６１は、上述した連通位置では、長手方向の他端側において支持部２１下面に形成されたガイド溝６３内に配置されている。また、係止突起６１は、図６に示す取出し位置では、通過孔２５における長手方向の一端側の開口縁に係止され、収容部２４のそれ以上スライド移動を防止している。これにより、収容部２４がレール部５１から外れるのを防止することができる。
また、フランジ部５４の長手方向の一端側には、短手方向に延設されて、連通位置の際にレール部５１における長手方向の一端側壁面に当接することで、収容部２４のスライド移動を規制する係止片６４が設けられている。
【００２９】
さらに、収容部２４を支持部２１に対して着脱可能に構成する等しても構わない。
また、上述した実施形態では、一つの収納ドーム１２に対してレバー部材２３、及び収容部２４をそれぞれ一つずつ設けた場合について説明したが、これに限らず、複数の収納ドーム１２内の内容物Ｃを一括して取り出すような構成にしても構わない。
【００３０】
さらに、収容部２４の開口端縁を支持部とし、この支持部から直接ヒンジ部２２を介してレバー部材２３を連結する構成にしても構わない。
また、上述した実施形態では、レバー部材２３を階段状の板材に形成したが、単に平板でもよく、収納ドーム１２を押し出せる構成であれば、その他の種々の構成を採用することが可能である。
また、上述した実施形態では、ヒンジ部２２を短手方向に沿って形成したが、これに限らず、通過孔２５の開口面に沿う方向であれば、例えばヒンジ部２２を長手方向に沿って形成しても構わない。
【００３１】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００３２】
１…取出し具  １１…基材シート  １１ａ…表面  １１ｂ…裏面  １２…収納ドーム  １３…ＰＴＰ包装体  ２１…支持部  ２２…ヒンジ部  ２３…レバー部材  ２４…収容部  ２５…通過孔  ３５…ガイド壁  
【図１】
0005865607.tif 000002
【図２】
0005865607.tif 000003
【図３】
0005865607.tif 000004
【図４】
0005865607.tif 000005
【図５】
0005865607.tif 000006
【図６】
0005865607.tif 000007